(57)【要約】【課題】電子部品などを必要としない簡易な構成で、三次元造形載置の距離検出手段を実現でき、その距離検出手段の動作安定性を確保することを目的とする。【解決手段】載置台４の載置面に対向する位置に配置され、該載置面上に三次元造形物を造形する造形手段１０と、前記載置台及び前記造形手段のうちの少なくとも一方の移動対象物（載置台４）を該載置台及び該造形手段の接離方向へ移動させる接離方向移動手段と、前記載置台と前記造形手段との接離方向距離を検出する距離検出手段２６とを備えた三次元造形装置において、前記距離検出手段は、前記載置台及び前記造形手段のうちの一方に一体的に設置され、かつ、他方が当接することにより変位可能な変位部材２６ａと、該変位部材が変位したことを検知する変位検知手段２６ｂとを含む。【選択図】図５
2017087578.tif 000002
【特許請求の範囲】
【請求項１】
載置台の載置面に対向する位置に配置され、該載置面上に三次元造形物を造形する造形手段と、
前記載置台及び前記造形手段のうちの少なくとも一方の移動対象物を該載置台及び該造形手段の接離方向へ移動させる接離方向移動手段と、
前記載置台と前記造形手段との接離方向距離を検出する距離検出手段とを備えた三次元造形装置において、
前記距離検出手段は、前記載置台及び前記造形手段のうちの一方に一体的に設置され、かつ、他方が当接することにより変位可能な変位部材と、該変位部材が変位したことを検知する変位検知手段とを含むことを特徴とする三次元造形装置。
【請求項２】
請求項１に記載の三次元造形装置において、
前記造形手段は、加熱溶融された造形材料によって層状の造形構造物を順次積層することにより前記三次元造形物を造形するものであり、
前記変位部材は前記造形手段に設置されており、
前記変位部材を、加熱溶融された造形材料を射出する前記造形手段の射出部よりも前記載置面側に突出した突出位置と、該射出部よりも前記載置面から退避した退避位置との間で移動させる変位部材移動手段を設けたことを特徴とする三次元造形装置。
【請求項３】
請求項１又は２に記載の三次元造形装置において、
前記載置台及び前記造形手段のうちの少なくとも一方の移動対象物を前記接離方向に対して略直交する接離直交方向へ移動させる接離直交方向移動手段と、
前記載置面の傾きを調整する傾き調整手段とを有することを特徴とする三次元造形装置。
【請求項４】
請求項３に記載の三次元造形装置において、
前記接離方向移動手段の移動対象物が前記載置台であり、
前記接離方向移動手段は、前記載置台における前記接離直交方向に異なる複数の箇所を個別に前記接離方向へ移動可能なものであることを特徴とする三次元造形装置。
【請求項５】
請求項４に記載の三次元造形装置において、
前記接離方向移動手段は、前記複数の箇所を個別の駆動手段により前記接離方向へ移動可能なものであり、
前記傾き調整手段は、前記載置面上における複数の地点と前記造形手段との接離方向距離を前記基準距離検出手段によりそれぞれ検出した結果に基づいて、前記個別の駆動手段を制御するものであることを特徴とする三次元造形装置。
【請求項６】
請求項１乃至５のいずれか１項に記載の三次元造形装置において、
前記距離検出手段は、前記載置台及び前記造形手段が配置される処理空間内に配置されていることを特徴とする三次元造形装置。
【請求項７】
請求項６に記載の三次元造形装置において、
前記処理空間内を加熱する処理空間加熱手段を有し、
前記造形手段は、前記処理空間加熱手段により目標温度まで加熱された前記処理空間内で、前記載置面上に三次元造形物を造形するものであることを特徴とする三次元造形装置。
【請求項８】
請求項７に記載の三次元造形装置において、
前記変位部材は、前記目標温度に対して耐熱性を有する材料で形成されていることを特徴とする三次元造形装置。
【請求項９】
請求項１乃至８のいずれか１項に記載の三次元造形装置において、
前記変位部材は、該変位部材が一体的に設置された箇所に対して着脱自在に構成されていることを特徴とする三次元造形装置。
【発明の詳細な説明】
【技術分野】
【０００１】
本発明は三次元造形装置に関するものである。
【背景技術】
【０００２】
従来、所望の三次元形状をもった立体物（三次元造形物）を造形する三次元造形装置が知られている。
【０００３】
例えば、特許文献１には、三次元造形物の三次元形状データから当該三次元造形物を一定の厚みにスライスした状態の二次元データを作成し、その二次元データに基づいて凝固層の形成を繰り返すことにより三次元造形物を形成する三次元造形装置が開示されている。この三次元造形装置には、真空状態の処理空間内に、垂直駆動機構（接離方向移動手段）により上下動可能な造形台（載置台）が設置されている。この三次元造形装置では、その造形台上に一層分の粉末材料を供給し、その粉末材料の層に対し、造形台上方に固定配置された造形部（造形手段）から電子ビームを走査しながら照射する。これにより、照射箇所の粉末材料部分が溶融、凝固して、一層分の凝固層（造形構造物）を形成する。次に、造形台を下げて更に一層分の粉末材料を供給し、同様にして粉末材料を溶融、凝固させることで、先に作成された凝固層と一体となった二層分の凝固層が形成される。これを繰り返すことで、最終的に三次元造形物が造形される。
【０００４】
特許文献１に開示の三次元造形装置には、造形台の上面（載置面）の傾きを調整する調整器（傾き調整手段）が設けられている。この三次元造形装置では、４つの光源から造形台の上面の各箇所にレーザ光をそれぞれ照射し、その反射光をそれぞれの検出器で検出した結果に基づいて、各箇所の高さ（造形部と造形台の上面との接離方向距離）を把握する。そして、その把握した各箇所の高さから造形台の上面の傾き補正量を算出し、その補正量に従って調整器により造形台の上面の傾きを補正する。
【発明の概要】
【発明が解決しようとする課題】
【０００５】
一般に、載置台とその載置面に対向する造形手段とを互いの接離方向へ相対的に移動させる接離方向移動手段を備えた三次元造形装置では、載置台と造形手段との接離方向距離を検出する距離検出手段が必要とされる。ところが、従来の距離検出手段は、その構成に電子部品を必要とするなど、複雑な構成を有するものである。三次元造形装置の内部は、上述した真空環境、高温環境、低温環境、強い電磁場の環境などの悪環境下になる場合があり、そのような悪環境下における動作安定性の観点から、より簡易な構成のものが望まれる。例えば、特許文献１に開示の三次元造形装置では、距離検出手段がレーザ光を照射する光源とその反射光を受光する検出器（画像センサ）とから構成されるが、その光源や検出器には電子部品が必要であり、そのような悪環境下での動作安定性が不十分である。
【課題を解決するための手段】
【０００６】
上述した課題を解決するために、本発明は、載置台の載置面に対向する位置に配置され、該載置面上に三次元造形物を造形する造形手段と、前記載置台及び前記造形手段のうちの少なくとも一方の移動対象物を該載置台及び該造形手段の接離方向へ移動させる接離方向移動手段と、前記載置台と前記造形手段との接離方向距離を検出する距離検出手段とを備えた三次元造形装置において、前記距離検出手段は、前記載置台及び前記造形手段のうちの一方に一体的に設置され、かつ、他方が当接することにより変位可能な変位部材と、該変位部材が変位したことを検知する変位検知手段とを含むことを特徴とする。
【発明の効果】
【０００７】
本発明によれば、載置台と造形手段との接離方向距離を検出する距離検出手段を、電子部品などを必要としない簡易な構成で実現でき、その距離検出手段の動作安定性を確保しやすいという優れた効果が奏される。
【図面の簡単な説明】
【０００８】
【図１】実施形態における三次元造形装置の構成を示す説明図である。
【図２】同三次元造形装置の内部に設けられるチャンバーの外観を示す斜視図である。
【図３】同三次元造形装置の前方部分を切断して除外した状態の斜視図である。
【図４】同三次元造形装置の制御ブロック図である。
【図５】同三次元造形装置のＺ軸ポジション検知機構の構成を示す模式図である。
【図６】同チャンバー内におけるステージとこれを駆動するＺ軸駆動機構の一部を示す斜視図である。
【図７】同ステージの上面における３つの測定位置を示す説明図である。
【図８】実施形態におけるステージの傾き調整処理の流れを示すフローチャートである。
【図９】変形例１において、Ｚ軸ポジション検知機構における検知片が突出位置に位置するときの検知片進退部の構成を示す模式図である。
【図１０】変形例１において、Ｚ軸ポジション検知機構における検知片が退避位置に位置するときの検知片進退部の構成を示す模式図である。
【図１１】変形例２におけるＺ軸ポジション検知機構の構成を説明するステージの斜視図である。
【発明を実施するための形態】
【０００９】
以下、本発明を、熱溶解積層法（ＦＤＭ）により三次元造形物を造形する三次元造形装置に適用した一実施形態について説明する。
なお、本発明は、熱溶解積層法（ＦＤＭ）に限定されるものではなく、載置台の載置面に対向する位置に配置される造形手段により載置面上に三次元造形物を造形するものであれば、他の造形方法で三次元造形物を造形する三次元造形装置にも適用可能である。
【００１０】
図１は、本実施形態における三次元造形装置１の構成を示す説明図である。
図２は、本実施形態における三次元造形装置１の内部に設けられるチャンバーの外観を示す斜視図である。
図３は、本実施形態における三次元造形装置１の前方部分を切断して除外した状態の斜視図である。
【００１１】
三次元造形装置１は、本体フレーム２の内部にチャンバー３を備えている。チャンバー３の内部は、三次元造形物を造形するための処理空間となっており、その処理空間内すなわちチャンバー３の内部には、載置台としてのステージ４が設けられている。このステージ４上に三次元造形物が造形される。
【００１２】
チャンバー３の内部におけるステージ４の上方には、造形手段としての造形ヘッド１０が設けられている。造形ヘッド１０は、その下方に造形材料であるフィラメントを射出する射出ノズル１１を有する。本実施形態では、造形ヘッド１０上に４つの射出ノズル１１が設けられているが、射出ノズル１１の数は任意である。また、造形ヘッド１０には、各射出ノズル１１に供給されるフィラメントを加熱するヘッド加熱部１２が設けられている。
【００１３】
フィラメントは、細長いワイヤー形状であり、巻き回された状態で三次元造形装置１にセットされており、フィラメント供給部６により造形ヘッド１０上の各射出ノズル１１へそれぞれ供給される。なお、フィラメントは、射出ノズル１１ごとに異なるものであってもよいし、同じものであってもよい。本実施形態においては、フィラメント供給部６により供給されるフィラメントをヘッド加熱部１２で加熱溶融し、溶融状態のフィラメントを所定の射出ノズル１１から押し出すようにして射出することにより、ステージ４上に層状の造形構造物を順次積層して、三次元造形物を造形する。
【００１４】
なお、造形ヘッド１０上の射出ノズル１１には、造形材料のフィラメントではなく、三次元造形物を構成しないサポート材が供給される場合がある。このサポート材は、通常、造形材料のフィラメントとは異なる材料で形成され、最終的にはフィラメントで形成された三次元造形物から除去される。このサポート材も、ヘッド加熱部１２で加熱溶融され、溶融状態のサポート材が所定の射出ノズル１１から押し出されるように射出されて、層状に順次積層される。
【００１５】
造形ヘッド１０は、装置左右方向（図２及び図３中の左右方向＝Ｘ軸方向）に延びるＸ軸駆動機構２１に対し、連結部材２１ａを介して、そのＸ軸駆動機構２１の長手方向（Ｘ軸方向）に沿って移動可能に保持されている。造形ヘッド１０は、Ｘ軸駆動機構２１の駆動力により、装置左右方向（Ｘ軸方向）へ移動することができる。造形ヘッド１０は、ヘッド加熱部１２によって加熱されて高温になるため、その熱がＸ軸駆動機構２１に伝わりにくいように、連結部材２１ａを低伝熱性のものとするのが好ましい。
【００１６】
Ｘ軸駆動機構２１の両端は、それぞれ、装置前後方向（図２及び図３中の前後方向＝Ｙ軸方向）に延びるＹ軸駆動機構２２に対し、そのＹ軸駆動機構２２の長手方向（Ｙ軸方向）に沿ってスライド移動可能に保持されている。Ｘ軸駆動機構２１がＹ軸駆動機構２２の駆動力によってＹ軸方向に沿って移動することにより、造形ヘッド１０はＹ軸方向に沿って移動することができる。
【００１７】
一方、ステージ４は、本体フレーム２に固定され、装置上下方向（図２及び図３中の上下方向＝Ｚ軸方向）に延びるＺ軸駆動機構２３に対し、そのＺ軸駆動機構２３の長手方向（Ｚ軸方向）に沿って移動可能に保持されている。ステージ４は、Ｚ軸駆動機構２３の駆動力により、装置上下方向（Ｚ軸方向）へ移動することができる。
【００１８】
また、本実施形態においては、チャンバー３の内部（処理空間）に、チャンバー３内を加熱するチャンバー用ヒータ７が設けられている。本実施形態においては、熱溶解積層法（ＦＤＭ）で三次元造形物を造形するため、チャンバー３内の温度を目標温度に維持した状態で、造形処理を行うことが望ましい。そのため、本実施形態では、造形処理を開始する前に、予めチャンバー３内の温度を目標温度まで昇温させる予熱処理を行う。チャンバー用ヒータ７は、この予熱処理中には、チャンバー３内を目標温度まで昇温させるためにチャンバー３内を加熱するとともに、造形処理中には、チャンバー３内の温度を目標温度に維持するためにチャンバー３内を加熱する。チャンバー用ヒータ７の動作は、制御部１００によって制御される。
【００１９】
また、チャンバー３は、断熱材料によって構成されており、あるいは、断熱材が設けられた部材によって構成されており、チャンバー３内の熱が外部へ逃げることが抑制された構成となっている。特に、本実施形態においては、Ｘ軸駆動機構２１、Ｙ軸駆動機構２２及びＺ軸駆動機構２３が、チャンバー３の外部に配置されている。よって、Ｘ軸駆動機構２１、Ｙ軸駆動機構２２及びＺ軸駆動機構２３は、チャンバー３内の高温に曝されず、安定した駆動制御が実現される。
【００２０】
ここで、Ｘ軸駆動機構２１及びＹ軸駆動機構２２の移動対象物は造形ヘッド１０であり、その造形ヘッド１０の一部（射出ノズル１１を含む造形ヘッド１０の先端部分）がチャンバー３内に配置されている。本実施形態では、造形ヘッド１０をＸ軸方向へ移動させてもチャンバー３の内部が外部から遮蔽される構成となっている。具体的には、チャンバー３の上面は、図２及び図３に示すように、Ｙ軸方向に長尺な複数のＸ軸スライド断熱部材３ＡがＸ軸方向へ並べて配設された構成となっており、隣接するＸ軸スライド断熱部材３Ａ間は互いにＸ軸方向へ相対的にスライド移動可能に構成されている。これにより、Ｘ軸駆動機構２１により造形ヘッド１０をＸ軸方向へ移動させても、これに応じて複数のＸ軸スライド断熱部材３ＡがそれぞれＸ軸方向へスライド移動し、チャンバー３の上面が常にＸ軸スライド断熱部材３Ａによって覆われる。
【００２１】
また、造形ヘッド１０が貫通するチャンバーの上面部分においては、図２及び図３に示すように、複数のＹ軸スライド断熱部材３ＢがＹ軸方向へ並べて配設された構成となっている。隣接するＹ軸スライド断熱部材３Ｂ間は互いにＹ軸方向へ相対的にスライド移動可能に構成されている。これにより、Ｙ軸駆動機構２２によりＸ軸駆動機構２１上の造形ヘッド１０をＹ軸方向へ移動させても、これに応じて複数のＹ軸スライド断熱部材３ＢがそれぞれＹ軸方向へスライド移動し、チャンバー３の上面が常にＹ軸スライド断熱部材３Ｂによって覆われる。
【００２２】
また、Ｚ軸駆動機構２３の移動対象物はステージ４であり、その移動対象物がチャンバー３内に配置されている。本実施形態では、ステージ４をＺ軸方向へ移動させてもチャンバー３の内部が外部から遮蔽される構成となっている。具体的には、チャンバー３の外側壁面には、図２及び図３に示すように、Ｚ軸駆動機構２３とステージ４との連結部を貫通させるスライド孔３ＣがＺ軸方向に延びるように形成されている。このスライド孔３Ｃは、断熱材料からなる可撓性のシール部材３Ｄによってシールされている。Ｚ軸駆動機構２３によりステージ４をＺ軸方向へ移動させる際、Ｚ軸駆動機構２３とステージ４との連結部は、可撓性のシール部材３Ｄを弾性変形させながらスライド孔３Ｃに沿ってＺ軸方向へ移動する。よって、チャンバー３の側面に形成されたスライド孔３Ｃは、常にシール部材３Ｄによって覆われる。
【００２３】
そのほか、本実施形態においては、チャンバー３の外部であって三次元造形装置１の内部の空間を冷却させるための装置内冷却装置８や、造形ヘッド１０の射出ノズル１１を清掃するためのノズル清掃部９などが設けられている。
【００２４】
図４は、本実施形態の三次元造形装置の制御ブロック図である。
本実施形態においては、造形ヘッド１０のＸ軸方向位置を検知するＸ軸ポジション検知機構２４が設けられている。Ｘ軸ポジション検知機構２４の検知結果は、制御部１００に送られる。制御部１００は、その検知結果に基づいてＸ軸駆動機構２１を制御して、造形ヘッド１０を目標のＸ軸方向位置へ移動させる。
【００２５】
また、本実施形態においては、Ｘ軸駆動機構２１のＹ軸方向位置（造形ヘッド１０のＹ軸方向位置）を検知するＹ軸ポジション検知機構２５が設けられている。Ｙ軸ポジション検知機構２５の検知結果は、制御部１００に送られる。制御部１００は、その検知結果に基づいてＹ軸駆動機構２２を制御することにより、Ｘ軸駆動機構２１上の造形ヘッド１０を目標のＹ軸方向位置へ移動させる。
【００２６】
また、本実施形態においては、ステージ４のＺ軸方向位置を検知するＺ軸ポジション検知機構２６が設けられている。Ｚ軸ポジション検知機構２６の検知結果は、制御部１００に送られる。制御部１００は、その検知結果に基づいてＺ軸駆動機構２３を制御して、ステージ４を目標のＺ軸方向位置へ移動させる。
【００２７】
制御部１００は、このようにして造形ヘッド１０及びステージ４の移動制御を行うことにより、チャンバー３内における造形ヘッド１０とステージ４との相対的な三次元位置を、目標の三次元位置に位置させることができる。
【００２８】
次に、距離検出手段としてのＺ軸ポジション検知機構２６の構成及び動作について説明する。
図５は、本実施形態におけるＺ軸ポジション検知機構２６の構成を示す模式図である。
本実施形態のＺ軸ポジション検知機構２６は、造形ヘッド１０の先端部分すなわちチャンバー３の内部に位置する造形ヘッド１０の箇所に設置されている。したがって、制御部１００は、Ｘ軸駆動機構２１やＹ軸駆動機構２２を制御することにより、造形ヘッド１０と一体で、Ｚ軸ポジション検知機構２６をステージ４に対して相対的にＸ軸方向やＹ軸方向（接離直交方向）へ移動させることができる。
【００２９】
本実施形態のＺ軸ポジション検知機構２６は、造形ヘッド１０に一体的に設置され、かつ、ステージ４が当接することによりＺ軸方向に沿って変位可能な変位部材としての検知片２６ａと、その検知片２６ａがＺ軸方向に沿って変位したことを検知する変位検知手段としてのメカニカルスイッチ２６ｂとから構成されている。この構成によれば、接離方向移動手段としてのＺ軸駆動機構２３によりステージ４を移動（上昇）させることで、造形ヘッド１０上の検知片２６ａがステージ４の上面（載置面）に当接する。そして、検知片２６ａがステージ４によって押し上げられてＺ軸方向へ変位し、その変位量が予め決まっている規定量に達した時、検知片２６ａがメカニカルスイッチ２６ｂをＯＮにする。これにより、メカニカルスイッチ２６ｂに接続された信号線を経由して、検知片２６ａが変位したことを示す検知信号（ＯＮ信号）が制御部１００へ出力される。
【００３０】
制御部１００は、Ｚ軸ポジション検知機構２６からのＯＮ信号を受信したタイミングで、Ｚ軸駆動機構２３によるステージ４の移動量を取得する。本実施形態では、Ｚ軸駆動機構２３は、ステッピングモータによりステージ４をＺ軸方向へ駆動するため、ステージ４の移動量をステッピングモータの駆動パルス数により把握することができる。したがって、制御部１００は、Ｚ軸ポジション検知機構２６からのＯＮ信号を受信したタイミングで、ステッピングモータの駆動パルス数を取得し、その駆動パルス数を基準パルス数として保持する。
【００３１】
検知片２６ａが変位した時すなわち基準パルス数の時のステージ４のＺ軸方向位置（基準位置）は、予め把握されている。なお、ステージ４のＺ軸方向位置は、造形ヘッド１０が固定配置されていることから、ステージ４の上面（載置面）と造形ヘッド１０の射出ノズル１１の先端との距離（Ｚ軸方向距離）と同等のものである。制御部１００は、基準パルス数を基準とすることで、基準パルス数の時のＺ軸方向位置（基準位置）からステージ４を移動（下降）させるときの駆動パルス数（移動量）により、ステージ４のＺ軸方向位置を高精度に制御することができる。
【００３２】
また、本実施形態の三次元造形装置１には、ステージ４の上面（載置面）の傾きを変更する傾き変更手段が設けられている。ステージ４の上面の傾きとは、予め決められた基準面に対するステージ４の上面の傾きである。この基準面としては、通常、水平面が定義され、ステージ４の上面（載置面）が水平面に対して傾かないようにすなわち平行になるように調整することが望まれる。本実施形態では、本体フレーム２の底部のアジャスタ等により、造形ヘッド１０の射出ノズル１１からの射出方向が鉛直方向に一致するように調整される。そのため、Ｘ軸駆動機構２１及びＹ軸駆動機構２２によって造形ヘッド１０の射出ノズル１１が移動するときのノズル先端の移動軌跡によって特定される仮想の移動平面を基準面として定義し、ステージ４の上面が当該仮想の移動平面に対して傾かないようにすなわち平行になるように調整する。
【００３３】
本実施形態における傾き変更手段は、Ｙ軸方向についての傾きはＺ軸駆動機構２３により変更する。具体的には、図６に示すように、本実施形態のＺ軸駆動機構２３は、チャンバー３のＸ軸方向で対面する２つの外側壁面にそれぞれ２本ずつ形成されているスライド孔３Ｃに対して、それぞれＺ軸方向に延びるスライドレールが設けられている。ステージ４に連結されている４つの連結部４ａは、それぞれのスライドレールに沿ってＺ軸方向へスライド移動可能に構成されている。本実施形態のＺ軸駆動機構２３は、一方の外側壁面に配置される２つの連結部４ａを、それぞれ個別のステッピングモータによって駆動し、当該一方の外側壁面上の２つのスライドレールに沿ってそれぞれスライド移動させる。なお、他方の外側壁面に配置される２つの連結部４ｂは、当該一方の外側壁面に配置される２つの連結部４ａのスライド移動に連動してスライド移動する。このような構成をもつＺ軸駆動機構２３は、一方の外側壁面に配置される２つの連結部４ａを駆動させる各ステッピングモータの駆動パルス数を相対的に調整することにより、Ｙ軸方向についてのステージ４の上面の傾きを変更することができる。
【００３４】
一方、本実施形態における傾き変更手段は、Ｘ軸方向についての傾きは、他方の外側壁面に配置される２つの連結部４ｂとスライドレールとの連結位置を調整する調整ネジによって変更する。具体的には、調整ネジを作業者の手作業であるいは駆動手段の駆動力により回すことにより、当該一方の外側壁面に配置される２つの連結部４ａとスライドレールとの連結位置を維持したまま、当該他方の外側壁面に配置される２つの連結部４ｂとスライドレールとの連結位置をＺ軸方向へ動かすことができる。これにより、Ｘ軸方向についてのステージ４の上面の傾きを変更することができる。
【００３５】
なお、傾き変更手段は、本実施形態のものに限らず、例えば、４つの連結部４ａ，４ｂのすべてを個別のステッピングモータで駆動するようなＺ軸駆動機構であれば、各ステッピングモータの駆動パルス数を相対的に変更することで、いずれの方向についての傾きも変更することができる。同様に、４つの連結部４ａ，４ｂのすべてについてスライドレールとの連結位置を調整する調整ネジを設ければ、各調整ネジを回すことにより、いずれの方向についての傾きも変更することができる。
【００３６】
次に、上述したＺ軸ポジション検知機構２６の検知結果を利用して、上述した傾き変更手段によりステージ４の上面の傾きを調整する傾き調整処理について説明する。
本実施形態における傾き調整処理では、図７に示すように、ステージ４の上面に予め設定されている３つの測定位置４Ａ，４Ｂ，４Ｃについて、ステージ４の上面と造形ヘッド１０の射出ノズル１１の先端との距離（Ｚ軸方向距離）を測定し、その測定結果に基づいてステージ４の傾きを調整する。
【００３７】
図８は、本実施形態におけるステージ４の傾き調整処理の流れを示すフローチャートである。
本実施形態においては、傾き調整処理の実施タイミングが到来したら、まず、制御部１００は、予め設定されている３つの測定位置４Ａ，４Ｂ，４Ｃのうちの最初の測定位置４Ａに対向する位置へ造形ヘッド１０を移動させる（Ｓ１）。具体的には、制御部１００は、Ｘ軸ポジション検知機構２４の検知結果に基づいてＸ軸駆動機構２１を制御し、最初の測定位置４Ａに対応するＸ軸方向位置へ造形ヘッド１０を位置させるとともに、Ｙ軸ポジション検知機構２５の検知結果に基づいてＹ軸駆動機構２２を制御し、最初の測定位置４Ａに対応するＹ軸方向位置へ造形ヘッド１０を位置させる。
【００３８】
このようにして造形ヘッド１０を最初の測定位置４Ａに対向する位置へ移動させたら、次に、制御部１００は、Ｚ軸駆動機構２３を制御してステージ４を移動（上昇）させ（Ｓ２）、ステージ４を造形ヘッド１０に近付けるようにＺ軸方向へ移動させる。このようにしてステージ４を移動（上昇）させると、造形ヘッド１０上の検知片２６ａがステージ４の上面の最初の測定位置４Ａに当接し、検知片２６ａが押し上げられてＺ軸方向へ変位する。そして、その変位量が規定量に達した時に検知片２６ａがメカニカルスイッチ２６ｂをＯＮにし、Ｚ軸ポジション検知機構２６からＯＮ信号が出力され、これを制御部１００が受信する（Ｓ３のＹｅｓ）。
【００３９】
制御部１００は、Ｚ軸ポジション検知機構２６からのＯＮ信号を受信したら、その時点におけるＺ軸駆動機構２３のステッピングモータの駆動パルス数（基準パルス数）を取得し（Ｓ４）、これを最初の測定位置４Ａにおける測定結果として、制御部１００内の記憶部に保持する。また、制御部１００は、Ｚ軸ポジション検知機構２６からのＯＮ信号を受信したら、Ｚ軸駆動機構２３を制御してステージ４を移動（下降）させ（Ｓ５）、ステージ４を造形ヘッド１０から遠ざけるようにＺ軸方向へ移動させる。その後、再び、処理ステップＳ１に戻り、造形ヘッド１０を次の測定位置４Ｂに対向する位置へ移動させて、同様の測定処理を行う。
【００４０】
すべての測定位置４Ａ，４Ｂ，４Ｃについての測定処理が完了したら（Ｓ６のＹｅｓ）、次に、制御部１００は、Ｙ軸方向の傾き補正量を算出する（Ｓ７）。具体的には、図７に示すように、Ｙ軸方向におけるステージ４の両端部付近に設定されている２つの測定位置４Ａ，４Ｂの測定結果（基準パルス数）を比較し、その差分に相当する差分パルス数を補正量として算出する。そして、Ｚ軸駆動機構２３に設けられる２つのステッピングモータの少なくとも一方に駆動パルスを入力して、差分パルス数（傾き補正量）の分だけ相対的に移動させ、２つの測定位置４Ａ，４Ｂにおける基準パルス数が一致するように制御する。これにより、Ｙ軸方向についてのステージ４の傾きが変更される（Ｓ８）。
【００４１】
また、制御部１００は、Ｘ軸方向の傾き補正量を算出する（Ｓ９）。具体的には、図７に示すように、上述したＹ軸方向についての傾き変更を行った後における２つの測定位置４Ａ，４Ｂの基準パルス数と、残りの測定位置４Ｃの測定結果（基準パルス数）とを比較する。そして、その差分に相当する差分パルス数を補正量として出力する（Ｓ１０）。例えば、本三次元造形装置１に設けられる表示部に表示するなどして、作業者にＸ軸方向の傾き補正量を報知する。これを受けて、作業者は、報知された傾き補正量に対応する分だけ調整ネジを回す。これにより、Ｘ軸方向についてのステージ４の傾きが変更される。
【００４２】
以上のような傾き補正処理を行うことにより、ステージ４の上面が基準面に一致するようにステージ４の上面の傾きを調整することができる。
【００４３】
上述した傾き調整処理は、本三次元造形装置１を設置した使用開始時のタイミング、使用開始後の所定のタイミング、本三次元造形装置１のメンテナンス時のタイミングなどに実施される。このとき、より高精度な傾き調整を行いたい場合には、造形処理時と同じ条件下で、Ｚ軸ポジション検知機構２６により、ステージ４の上面と造形ヘッド１０の射出ノズル１１の先端との距離（Ｚ軸方向距離）の測定、すなわち、基準パルス数の測定（取得）を行うのが好ましい。具体的には、チャンバー３内の温度を造形処理時と同じ目標温度（２００℃程度）まで昇温させた状態で、Ｚ軸ポジション検知機構２６により、ステージ４の上面の各測定位置４Ａ，４Ｂ，４Ｃにおける基準パルス数の測定を行うことが望ましい。
【００４４】
このとき、レーザ方式などの従来の距離検出手段で各測定位置４Ａ，４Ｂ，４Ｃにおけるステージ４の上面と造形ヘッド１０の射出ノズル１１の先端との距離（Ｚ軸方向距離）の測定を行う場合、その距離検出手段を本実施形態のチャンバー３内のような高温環境下に配置して測定を実施することは、動作安定性の観点から難しい。また、従来の距離検出手段であっても、チャンバー外に配置した状態で測定を実施すれば、動作安定性を確保することは可能であるが、本実施形態のようにチャンバー３を断熱材料で覆っていて測定用の窓がない場合には、測定そのものが実施できない。仮に、従来の距離検出手段をチャンバー外に配置して測定を実施できる場合でも、レーザ方式を含む光学的な距離検出手段は、光学部品が高温の影響を受けて高精度な測定を実施できないことが多い。なお、高温環境下に限らず、低温環境下、真空環境下、強い電磁場環境下などにおいても、また、他の方式を採用する従来の距離検出手段においても、同様である。
【００４５】
本実施形態における距離検出手段であるＺ軸ポジション検知機構２６は、検知片２６ａとメカニカルスイッチ２６ｂという簡易な構成によって実現されており、電子部品を必要としない。しかも、チャンバー３内に位置する検知片２６ａとメカニカルスイッチ２６ｂは、いずれも、チャンバー３の目標温度に対して耐熱性を有する材料で形成されており、高温環境下であっても動作を不安定にするその他の構成（高温で柔軟又は溶解してしまうような樹脂モールドなど）も備えていない。したがって、このＺ軸ポジション検知機構２６を本実施形態のチャンバー３内のような高温環境下に配置して測定を実施しても、動作安定性が確保される。これは、高温環境下に限らず、低温環境下、真空環境下、強い電磁場環境下などにおいても、同様である。
【００４６】
なお、本実施形態における距離検出手段であるＺ軸ポジション検知機構２６が簡易な構成であるとしても、チャンバー３内のような高温環境下などの悪環境下に長期間曝されると劣化が進行して動作安定性が低下するおそれがある。また、本実施形態のように、造形処理時には高精度な移動制御を必要とする造形ヘッド１０は、可能な限り不要な部品を搭載しないようにして、軽量化することが望ましい。そのため、Ｚ軸ポジション検知機構２６を造形ヘッド１０に対して着脱可能に構成することが好ましい。これは、交換時の作業容易性の観点からも好ましい。
【００４７】
また、本実施形態では、距離検出手段であるＺ軸ポジション検知機構２６が造形ヘッド１０に設置されている例であるが、ステージ４側に設置してもよい。
【００４８】
〔変形例１〕
次に、本実施形態における一変形例（本変形例を「変形例１」という。）について説明する。
図９及び図１０は、本変形例１における構成を示す模式図である。
本変形例１においては、Ｚ軸ポジション検知機構２６の検知片２６ａを造形ヘッド１０に対してＺ軸方向へ移動させる変位部材移動手段としての検知片進退部２７が設けられている。この検知片進退部２７は、造形ヘッド１０の射出ノズル１１の先端よりもステージ４側に検知片２６ａが突出する図９に示す突出位置と、検知片２６ａが射出ノズル１１の先端よりもステージ４から退避した図１０に示す退避位置との間で、Ｚ軸ポジション検知機構２６の全体をＺ軸方向へ移動させる。このような検知片進退部２７は、例えば、ソレノイドを駆動させて移動させる構成を採用できるが、作業者が操作可能なレバーで移動させるものでもよい。ただし、本実施形態では、検知片進退部２７がチャンバー３内の高温環境下に曝されるため、そのような高温環境下でも動作安定性が確保できる簡易な構成であることが望ましい。
【００４９】
本変形例１によれば、傾き調整処理などにおいて載置面と造形手段との接離方向距離を検出する際には、検知片進退部２７により検知片２６ａを図９に示す突出位置へ位置させることで、適切な検出が可能となる。一方、検知片２６ａが図９に示す突出位置に位置したままだと、造形処理時に検知片２６ａが載置面上における造形途中の未完造形物に接触するおそれがある。本変形例１では、造形処理の際には、検知片進退部２７により検知片２６ａを図１０に示す退避位置へ位置させることができるので、造形処理時に検知片２６ａが載置面上における造形途中の未完造形物に接触することを回避することができる。
【００５０】
〔変形例２〕
次に、本実施形態における他の変形例（本変形例を「変形例２」という。）について説明する。
図１１は、本変形例２におけるＺ軸ポジション検知機構の構成を説明するステージ４の斜視図である。
本変形例２におけるＺ軸ポジション検知機構２６Ａ，２６Ｂ，２６Ｃは、造形ヘッド１０ではなく、ステージ４に設置されている。具体的には、図１１に示すように、ステージ４の上面の各測定位置にそれぞれ設置されている。これらのＺ軸ポジション検知機構２６Ａ，２６Ｂ，２６Ｃの構成及び動作は、上述した実施形態における造形ヘッド１０に設置されたＺ軸ポジション検知機構２６と同様である。
【００５１】
本変形例２において、Ｚ軸ポジション検知機構２６Ａ，２６Ｂ，２６Ｃにより、ステージ４の上面（載置面）と造形ヘッド１０の射出ノズル１１の先端との距離（Ｚ軸方向距離）を検出する制御動作も、上述した実施形態と同様である。すなわち、造形ヘッド１０をいずれかのＺ軸ポジション検知機構２６Ａ，２６Ｂ，２６Ｃとの対向位置（測定位置に対向する位置）へ移動させ、Ｚ軸駆動機構２３によりステージ４を移動（上昇）させて、ステージ４上の検知片２６ａを造形ヘッド１０上の所定の被当接部に当接させる。そして、検知片２６ａが造形ヘッド１０によって押し下げられてＺ軸方向へ変位し、その変位量が予め決まっている規定量に達した時、検知片２６ａがメカニカルスイッチ２６ｂをＯＮにする。これにより、メカニカルスイッチ２６ｂに接続された信号線を経由して、検知片２６ａが変位したことを示す検知信号（ＯＮ信号）が制御部１００へ出力される。
【００５２】
したがって、本変形例２においても、制御部１００は、Ｚ軸ポジション検知機構２６からのＯＮ信号を受信したタイミングで取得した基準パルス数を基準として、Ｚ軸駆動機構２３のステッピングモータの駆動パルス数から、ステージ４のＺ軸方向位置を高精度に制御することができる。
【００５３】
なお、本変形例２における傾き調整処理は、上述した実施形態と同様であるので、説明を省略する。
【００５４】
本変形例２においては、Ｚ軸ポジション検知機構２６Ａ，２６Ｂ，２６Ｃがステージ４側に設置されているため、造形ヘッド１０に設置する必要がなく、造形ヘッド１０の軽量化が可能となる。その結果、造形ヘッド１０の移動速度の高速化や位置制御の高精度化が容易となり、より高精度で高速な三次元造形が実現可能である。一方で、本変形例２では、複数の測定位置にそれぞれＺ軸ポジション検知機構２６Ａ，２６Ｂ，２６Ｃを設けているため、単一のＺ軸ポジション検知機構で済む上述した実施形態よりも部品数が増え、コストが高まるというデメリットもある。
【００５５】
以上に説明したものは一例であり、次の態様毎に特有の効果を奏する。
（態様Ａ）
ステージ４等の載置台の載置面に対向する位置に配置され、該載置面上に三次元造形物を造形する造形ヘッド１０等の造形手段と、前記載置台及び前記造形手段のうちの少なくとも一方の移動対象物（ステージ４等）を該載置台及び該造形手段の接離方向（Ｚ軸方向）へ移動させるＺ軸駆動機構２３等の接離方向移動手段と、前記載置台と前記造形手段との接離方向距離を検出するＺ軸ポジション検知機構２６等の距離検出手段とを備えた三次元造形装置１において、前記距離検出手段は、前記載置台及び前記造形手段のうちの一方に一体的に設置され、かつ、他方が当接することにより変位可能な検知片２６ａ等の変位部材と、該変位部材が変位したことを検知するメカニカルスイッチ２６ｂ等の変位検知手段とを含むことを特徴とする。
本態様においては、接離方向移動手段により載置台及び造形手段のうちの少なくとも一方の移動対象物を移動させることにより、載置台及び造形手段のうちの一方に一体的に設置された変位部材が他方に当接して変位し、これが変位検知手段に検知される。この構成においては、その変位検知手段の検知タイミングと、接離方向移動手段による移動対象物の移動量とから、載置台と造形手段との接離方向距離を求めることができる。そして、距離検出手段を構成する変位検知手段は、変位部材が変位したことを検知できればよいので、メカニカルスイッチなど、電子部品などを必要としない簡易な構成で実現することができる。このような簡易な構成であれば、例えば電子部品などの複雑な構成では動作安定性を確保できないような悪環境下であっても、動作安定性の確保が容易である。
【００５６】
（態様Ｂ）
前記態様Ａにおいて、前記造形手段は、加熱溶融されたフィラメント等の造形材料によって層状の造形構造物を順次積層することにより前記三次元造形物を造形するものであり、前記変位部材は前記造形手段に設置されており、前記変位部材を、加熱溶融された造形材料を射出する前記造形手段の射出ノズル１１等の射出部よりも前記載置面側に突出した突出位置と、該射出部よりも前記載置面から退避した退避位置との間で移動させる検知片進退部２７等の変位部材移動手段を設けたことを特徴とする。
これによれば、上述した変形例１で説明したように、載置面と造形手段との接離方向距離を検出する際には、変位部材移動手段により変位部材を突出位置へ位置させることで、適切な検出が可能となる。一方、変位部材が突出位置に位置したままだと、熱溶解積層法（ＦＤＭ）による造形処理時に変位部材が載置面上における造形途中の未完造形物等に接触するおそれがある。本態様によれば、造形処理の際に、変位部材移動手段により変位部材を退避位置へ位置させることが可能である。したがって、造形処理時に変位部材が載置面上における造形途中の未完造形物等に接触することを回避することができる。
【００５７】
（態様Ｃ）
前記態様Ａ又はＢにおいて、前記載置台及び前記造形手段のうちの少なくとも一方の移動対象物（造形ヘッド１０等）を前記接離方向に対して略直交する接離直交方向（Ｘ軸方向、Ｙ軸方向）へ移動させるＸ軸駆動機構２１やＹ軸駆動機構２２等の接離直交方向移動手段と、前記載置面の傾きを変更するＺ軸駆動機構２３や調整ネジ等の傾き変更手段とを有することを特徴とする。
本態様においては、載置台及び造形手段のうちの少なくとも一方を接離直交方向移動手段により接離直交方向へ移動させることにより、距離検出手段によって、載置面上における複数の地点（３つの測定位置４Ａ，４Ｂ，４Ｃ）と造形手段との間の接離方向距離をそれぞれ検出することが可能となる。これにより、その検出結果から載置面の傾きを把握することができるので、傾き変更手段を用いてその載置面の傾きを調整することができる。なお、傾き変更手段は、作業者が手動で載置面の傾きを変更するものでも、検出結果に基づいて駆動手段を制御して載置面の傾きを自動的に変更するものでもよい。
【００５８】
（態様Ｄ）
前記態様Ｃにおいて、前記傾き変更手段は、前記載置台における前記接離直交方向に異なる複数の箇所を個別に前記接離方向へ移動させるものであることを特徴とする。
これによれば、載置面の傾きを適切に調整できる。
【００５９】
（態様Ｅ）
前記態様Ｄにおいて、前記傾き変更手段は、前記複数の箇所をＺ軸駆動機構の２つのステッピングモータ等の個別の駆動手段により前記接離方向へ移動させるものであり、前記載置面上における複数の地点（測定位置４Ａ，４Ｂ）と前記造形手段との接離方向距離を前記距離検出手段によりそれぞれ検出した結果に基づいて、前記個別の駆動手段を制御し、前記載置面の傾きを調整する制御部１００等の傾き調整制御手段を有することを特徴とする。
これによれば、作業者の手作業による傾き調整作業が不要となる。
【００６０】
（態様Ｆ）
前記態様Ａ〜Ｅのいずれかの態様において、前記距離検出手段は、前記載置台及び前記造形手段が配置されるチャンバー３の内部等の処理空間内に配置されていることを特徴とする。
これによれば、処理空間を構成するチャンバー３等の外壁面の構造に影響を受けることなく、処理空間内における載置台と造形手段との接離方向距離を検出することができる。
ここで、処理空間内で三次元造形物を造形する三次元造形装置では、その処理空間内の環境が、電子部品や複雑な構成をもつ部品にとっては動作安定性を確保することが難しい悪環境（高温環境、真空環境など）である場合がある。このような場合であっても、本態様の距離検出手段は、電子部品などを必要としない簡易な構成で実現されるため、動作安定性の確保が容易である。
【００６１】
（態様Ｇ）
前記態様Ｆにおいて、前記処理空間内を加熱するチャンバー用ヒータ７等の処理空間加熱手段を有し、前記造形手段は、前記処理空間加熱手段により目標温度（例えば２００℃程度）まで加熱された前記処理空間内で、前記載置面上に三次元造形物を造形するものであることを特徴とする。
これによれば、高温環境下に距離検出手段を配置する場合でも、距離検出手段の動作安定性を確保することができる。
【００６２】
（態様Ｈ）
前記態様Ｇにおいて、前記変位部材は、前記目標温度に対して耐熱性を有する材料で形成されていることを特徴とする。
これによれば、高温環境下に距離検出手段を配置する場合でも、距離検出手段の動作安定性を確保することができる。
【００６３】
（態様Ｉ）
前記態様Ａ〜Ｈのいずれかの態様において、前記変位部材は、該変位部材が一体的に設置された箇所に対して着脱自在に構成されていることを特徴とする。
これによれば、変位部材の交換作業が容易になる。
【符号の説明】
【００６４】
１  三次元造形装置
２  本体フレーム
３  チャンバー
３Ａ  軸スライド断熱部材
３Ｂ  軸スライド断熱部材
３Ｃ  スライド孔
３Ｄ  シール部材
４  ステージ
４Ａ，４Ｂ，４Ｃ  測定位置
４ａ，４ｂ  連結部
６  フィラメント供給部
７  チャンバー用ヒータ
１０  造形ヘッド
１１  射出ノズル
１２  ヘッド加熱部
２１  Ｘ軸駆動機構
２２  Ｙ軸駆動機構
２３  Ｚ軸駆動機構
２４  Ｘ軸ポジション検知機構
２５  Ｙ軸ポジション検知機構
２６  Ｚ軸ポジション検知機構
２６ａ  検知片
２６ｂ  メカニカルスイッチ
２７  検知片進退部
１００  制御部
【先行技術文献】
【特許文献】
【００６５】
【特許文献１】特開２０１５−１５７４２０号公報
【図１】
2017087578.tif 000003
【図２】
2017087578.tif 000004
【図３】
2017087578.tif 000005
【図４】
2017087578.tif 000006
【図５】
2017087578.tif 000007
【図６】
2017087578.tif 000008
【図７】
2017087578.tif 000009
【図８】
2017087578.tif 000010
【図９】
2017087578.tif 000011
【図１０】
2017087578.tif 000012
【図１１】
2017087578.tif 000013